(57)【要約】【課題】必要に応じて簡単にスライドできるデスクマットＤを提供する。【解決手段】天板１の上面４１に敷設されるシート部材３を有するデスクマットＤにおいて、前記シート部材３の使用者側縁部３１に前記天板１の使用者側縁部１２を着脱可能に包持する滑り止め部材４を設けた。【選択図】図１
2004358132.tif 000002
【特許請求の範囲】
【請求項１】
天板の上面に敷設されるシート部材を有するデスクマットにおいて、
前記シート部材の縁部に前記天板の使用者側縁部を着脱可能に包持する滑り止め部材を設けたことを特徴とするデスクマット。
【請求項２】
天板の上面に敷設されるシート部材を有するデスクマットにおいて、
前記シート部材の縁部に前記天板の使用者側縁部の側面に当接する当接部を有する滑り止め部材を設け、前記当接部が摩擦抵抗の高い材質で構成されていることを特徴とするデスクマット。
【請求項３】
天板の上面に敷設されるシート部材を有するデスクマットにおいて、
前記シート部材の縁部に前記天板の使用者側縁部の側面に当接する当接部と、前記天板の上面方向へ押圧された際に、当該天板の上面と接触する接触部とを有する滑り止め部材を設けていることを特徴とするデスクマット。
【請求項４】
前記滑り止め部材が、前記天板の上面方向へ押圧された際に、当該天板の上面と接触する接触部を有していることを特徴とする請求項１または２記載のデスクマット。
【請求項５】
前記接触部が、摩擦抵抗の高い材質で構成されていることを特徴とする請求項３または４記載のデスクマット。
【請求項６】
前記天板との接触面を平滑な面にて構成したシート部材であることを特徴とする請求項１乃至５記載のデスクマット。
【請求項７】
前記滑り止め部材に使用者が手腕の一部を載せ置くことができるリストレスト部を設けたことを特徴とする請求項１乃至６記載のデスクマット。
【請求項８】
前記リストレスト部に使用者の手腕の一部を載せ置いた際に、前記天板の上面と接触する接触部を設けていることを特徴とする請求項７記載のデスクマット。
【請求項９】
前記滑り止め部材が、使用者と接触する身体接触面をクッション部材にて構成していることを特徴とする請求項１乃至８記載のデスクマット。
【請求項１０】
前記滑り止め部材が、前記天板の使用者側縁部に取り付けられた状態で、この滑り止め部材の下面が天板の下面と略同一または天板の下面より上方に位置するように設定していることを特徴とする請求項１乃至９記載のデスクマット。
【請求項１１】
前記滑り止め部材が、天板への着脱方向に対する弾力性を有することを特徴とする請求項１乃至１０記載のデスクマット。
【請求項１２】
前記滑り止め部材が、前記天板の使用者側縁部に沿った形状を成していることを特徴とする請求項１乃至１１記載のデスクマット。
【請求項１３】
前記滑り止め部材を部分円弧形状としていることを特徴とする請求項１２記載のデスクマット。
【発明の詳細な説明】
【０００１】
【発明の属する技術分野】
本発明は、机などに適用するデスクマットに関するものである。
【０００２】
【従来の技術】
近年、机の天板等を傷つけないように前記天板上にシート状のデスクマットを載置して使用されることが多い。
【０００３】
このデスクマットは、その裏面に滑り止めを設けたり、更には、天板にデスクマットの形状と同様の形状を有する取り付け用の凹部を設け、作業中にデスクマットがずれない様に構成している。（例えば、登録実用新案文献１参照）
【０００４】
【登録実用新案文献１】
登録実用新案第３０３３１３２号公報（第３頁、段落番号０００３等）
【０００５】
【発明が解決しようとする課題】
しかしながら、従来の構成では、例えばデスクマット上で作業をしつつ、一時的に他の作業を行うために当該デスクマットを横に避けておきたい場合、例えば、デスクマット上にパーソナルコンピュータを操作する為のキーボードやマウスを配置している際に、そのデスクマットを載置している天板上で書類を筆記する場合になどに不具合が生じる。つまり、その裏面に滑り止めが設けてあると天板の上でスライドさせにくく、容易にデスクマットを移動させることが出来ない。また、前述のように天板に取り付け用の凹部を設ける構成では滑り止め機能を持たせるために天板側に加工が必要となってしまう。更に、裏面を滑りにくい素材にて構成しても、使用者がデスクマットに対して手腕により強く加重をかけてしまった場合には、ずれてしまうことが多かった。
【０００６】
【課題を解決するための手段】
そこで、本発明は上記課題に着目してなされたものであり、天板の上面に敷設されるシート部材を有するデスクマットにおいて、前記シート部材の縁部に前記天板の使用者側縁部を着脱可能に包持する滑り止め部材を設けたことを特徴とする。
【０００７】
以上のようにシート部材の縁部に、当該デスクマットのずれを防止する滑り止め部材を設けることにより、必要に応じて前記滑り止め部材を外して使用者が簡単にデスクマットを天板上でスライドさせデスクマットに載せた作業中の資料などを容易に移動させることができ、複数の作業を同時に行いやすくして作業効率を向上させることができる。更に、デスクマットの上で作業する際には、前記滑り止め部材によりずれが防止され快適に作業を行うことができる。また、滑り止め機能を持たせるために何ら天板側に加工を必要とすることなく簡単な構造で天板に対してずれないデスクマットを提供することができる。
【０００８】
更に、天板の上面に敷設されるシート部材を有するデスクマットにおいて、前記シート部材の縁部に前記天板の使用者側縁部の側面に当接する当接部を有する滑り止め部材を設け、加えて、前記当接部を摩擦抵抗の高い材質で構成することが考えられる。
【０００９】
以上のようにシート部材の縁部に、当該デスクマットのずれを防止する滑り止め部材を設けることにより、デスクマットの使用中にずれが生じやすい方向に対して滑り止め機能を有効に発揮すると共に、デスクマットを移動させたい場合には、容易に移動させることができるという双方の利点を兼ね備えることができる。つまり、前記当接部が天板の使用者側縁部の側面に当たり、反使用者側へのずれを防止すると共に、当接部の摩擦抵抗により天板の幅方向へのずれも効果的に防止することが可能となる。また、必要に応じて前記滑り止め部材を外して使用者が簡単にデスクマットを天板上でスライドさせデスクマットに載せた作業中の資料などを容易に移動させることができる。
【００１０】
加えて、天板の上面に敷設されるシート部材を有するデスクマットにおいて、前記シート部材の縁部に前記天板の使用者側縁部の側面に当接する当接部と、前記天板の上面方向へ押圧された際に、当該天板の上面と接触する接触部とを有する滑り止め部材を設けることも考えられる。
【００１１】
以上のように、シート部材の縁部に、当該デスクマットのずれを防止する滑り止め部材を設けることにより、上述の効果と同様に、必要に応じて容易にデスクマットを移動させることができるというメリットを維持したまま、デスクマットのずれが生じやすい方向にして滑り止め機能を有効に発揮する。つまり、前記当接部が天板の使用者側縁部の側面に当たり、反使用者側へのずれを防止すると共に、例えば、手腕等の加重により接触部を天板に接触させることにより摩擦によって天板の幅方向へのずれも簡易に防止することが可能となる。また、デスクマットを移動したいときには、前記接触部を押圧しないようにすると簡単に移動させることができる。更に、前記当接部をガイド部として機能させ、天板の幅方向に対するスライドを案内させることもできる。
【００１２】
更に、前記滑り止め部材に、前記天板の上面方向へ押圧された際に、当該天板の上面と接触する接触部を設けることで、デスクマットを使用する際には、接触状態を保ち、デスクマットのずれを効果的に防止できると共に、デスクマットを移動させる際には非接触状態とすることで当該接触部が邪魔になることなく容易に移動させることができる。
【００１３】
加えて、更にデスクマットのずれを効果的に防止するためには、前記接触部を摩擦抵抗の高い材質で構成することが望ましい。
【００１４】
更にデスクマットを移動しやすくするためには、前記天板との接触面を平滑な面にて構成したシート部材を採用することが望ましい。
【００１５】
また、前記滑り止め部材に使用者が手腕の一部を載せ置くことができるリストレスト部を設けることで、手腕の加重によりデスクマットの意図しない移動を効果的に防止することができると共に、リストレスト機能を兼ね備えることもできる。
【００１６】
加えて、前記リストレスト部に使用者の手腕の一部を載せ置いた際に、前記天板の上面と接触する接触部を設けることで、使用者が単にリストレスト部を利用するだけで何ら手を煩わされること無くデスクマットのずれを防止することができる。
【００１７】
更に、前記滑り止め部材との接触感を良好なものとするためには、使用者と接触する身体接触面をクッション部材にて構成することが考えられる。
【００１８】
また、前記滑り止め部材が、前記天板の使用者側縁部に取り付けられた状態で、この滑り止め部材の下面が天板の下面と略同一または天板の下面より上方に位置するように設定することで、例えば天板下方に引き出しを設けた際にも前記滑り止め部材が邪魔になることはない。また、使用者の脚などが当たり意図せず滑り止め部材が外れてしまうことも防止することができる。
【００１９】
また、前記滑り止め部材を容易に着脱可能とするためには、この滑り止め部材が天板への着脱方向に対する弾力性を有することが望ましい。
【００２０】
加えて、前記滑り止め部材を前記天板の使用者側縁部に沿った形状とすることで、スライドし易くすることができる。
【００２１】
更に、使用者の手の届く範囲にて効率よくデスクマットをスライドさせるには、前記滑り止め部材を前記天板の使用者側縁部に沿った部分円弧形状とすることが考えられる。
【００２２】
【発明の実施の形態】
以下、本発明の一実施の形態を、図面を参照して説明する。
＜第１の実施形態＞
図１は、第１の実施形態のデスクマットＤを机Ｔに取り付けた状態を示す斜視図であり、図２は、机ＴにデスクマットＤを取り付ける工程を示す斜視図を表している。
【００２３】
本実施形態におけるデスクマットＤは、机Ｔの天板１の上面１１に敷設されるシート部材３を有するものであり、このシート部材３の使用者側縁部３１に前記天板１の使用者側縁部１２を着脱可能に包持する滑り止め部材４を設けている。
【００２４】
以下、各構成について詳述する。
【００２５】
机Ｔは、図１に示すように、平板状の天板１とこの天板１の四隅近傍を支持している４本の脚体２とを具備している。
【００２６】
この天板１は、図２に示すように、使用者側縁部１２及び反使用者側縁部１５の一部を平面視部分円弧状を成すように形成したものであり、その上面１１及び下面１３を平滑な面にて形成している。また、図５に示すように、その使用者側縁部１２に上面１１側を使用者側に突出させた段差を設け、前記デスクマットＤの滑り止め部材４を取り付ける取付部１４を形成している。
【００２７】
前記デスクマットＤは、前記天板１の上面１１に沿ってスライド可能なシート部材３と、このシート部材３の使用者側縁部３１に接着等による取付手段により取り付けられた滑り止め部材４とを具備している。
【００２８】
シート部材３は、柔軟性及び可撓性を備えた略均等厚の樹脂シートによって構成されている。また、天板１と接する接触面である下面３３及び作業面となる上面３２を滑りやすい平滑な面とし、デスクマットＤを移動させる際には天板１の上面１１にてスライドさせやすい構成としている。このシート部材３の形状は、図３に示すように、使用者側縁部３１及び反使用者側縁部３６を、前記天板１と同様の曲率を有する部分円弧状とした平面視略扇形状のものである。また、その左右側縁部３４，３５は反使用者側を内側に入りこませ中央部を外側に向かって膨出させた形状を成している。
【００２９】
滑り止め部材４は、図５に示すように、前記シート部材３の使用者側縁部３１の上面３２に接着されており、前記天板１の使用者側縁部１２を着脱可能に包持するものである。この滑り止め部材４は、全体をクッション部材にて構成されており使用者と接触する身体接触面である上面４１及び使用者側縁部４３に使用者が触れた際の接触感を良好なものとしている。
【００３０】
また、この身体接触面の一部である上面４１には、使用者が手腕の一部を載せ置くことができるリストレスト部４２を設けており、このリストレスト部４２の下面４９に前記シート部材３の使用者側縁部３１を取り付けることで使用者が手腕を置いた状態で当該デスクマットＤが動かないように固定できるようにしている。更に、このリストレスト部４２は、滑り止め部材４の上面４１全域に亘って設けられている。
【００３１】
この滑り止め部材４の形状は、図５に示すように、前記天板１の上面１１側に位置する上面部４ａと前記天板１の下面１３側に位置する下面部４ｂとからなる側断面略Ｃ字形状を成すものであり、前記天板１に設けた取付部１４に合致させた内面４５を有している。そして、前記天板１の使用者側縁部１２の上面１１及び下面１３を包持した状態で、この滑り止め部材４の下面４４が天板１の下面１３と略同一に位置するように設定されている。また、この滑り止め部材４は、その平面視形状を前記天板１の使用者側縁部１２に合わせた部分円弧形状とすると共に、天板１への着脱方向に対する弾力性を有することにより前記天板１に隙間なく取り付けられるようにしているものである。加えて、前記シート部材３の使用者側端部３１に沿った平面視形状を成すと共に、当該シート部材３の使用者側端部３１と略同寸の幅寸法を有している。
【００３２】
また、デスクマットＤを移動させる際には、図５の想像線にて示すように滑り止め部材４を外し、図６に示すように、天板１の使用者側縁部１２に沿ってスライドさせる。
【００３３】
以上説明したデスクマットＤの構成を採用し、シート部材３の使用者側縁部３１に、当該デスクマットＤのずれを防止する滑り止め部材４を設けることにより、必要な場合には使用者が簡単にデスクマットＤを天板１上でスライドさせデスクマットＤ上の載せた作業中の資料などを容易に移動させることができ、複数の作業を同時に行いやすくして作業効率を向上させることができる。更に、デスクマットＤの上で作業する際には、前記滑り止め部材４によりずれが防止され快適に作業を行うことができる。また、滑り止め機能を持たせるために何ら天板１側に加工を必要とすることなく簡単な構造で天板１に対してずれないデスクマットＤを提供することができる。
【００３４】
更に、前記天板１との接触面である下面３３を平滑な面にて構成したシート部材３を採用していることで、よりデスクマットＤを移動しやすくすることができる。
【００３５】
また、前記滑り止め部材４に使用者が手腕の一部を載せ置くことができるリストレスト部４２を設けることで、手腕の加重によりデスクマットＤの意図しない移動を効果的に防止することができると共に、リストレスト機能を兼ね備えることができる。
【００３６】
加えて、使用者と接触する身体接触面をクッション部材にて構成しているため、接触感を良好なものとすることができる。
【００３７】
更に、前記滑り止め部材４を、前記天板１の使用者側縁部１２に取り付けた状態で、この滑り止め部材４の下面４４が天板１の下面１３と略同一に位置するように設定されていることで、例えば天板１の下方に引き出しを設けた際にも前記滑り止め部材４が邪魔になることはない。また、使用者の脚などが当たり意図せず滑り止め部材４が外れてしまうことも防止することができる。
【００３８】
また、この滑り止め部材４が天板１への着脱方向に対する弾力性を有しているため、前記滑り止め部材４を容易に着脱することができる。
【００３９】
加えて、前記滑り止め部材４を前記天板１の使用者側縁部１２に沿った部分円弧形状としていることで、デスクマットＤを使用者の手の届く範囲にて簡単にスライドさせることができる。
＜第２の実施形態＞
第２の実施形態におけるデスクマットＤは、第１の実施形態と同様に、机Ｔの天板１の上面１１に敷設されるシート部材３を有するものであり、このシート部材３の使用者側縁部３１に、当該デスクマットＤのずれを防止する滑り止め部材４を設けている。
【００４０】
以下、各構成について詳述する。
【００４１】
図７は、第２の実施形態のデスクマットＤを机Ｔに取り付けた状態を示す拡大断面図を表している。尚、滑り止め部材４以外の構成は、第１の実施形態と同様であるので説明を省略し、また、第１の実施形態と同様の構成には、同一の符号を付している。
【００４２】
第２の実施形態における滑り止め部材４は、第１の実施形態と同様に、前記シート部材３の使用者側縁部３１の上面３２に接着等による取付手段により取り付けられている。また、前記天板１の使用者側縁部１２に対して着脱可能に取り付けられるものであり、前記天板１の使用者側縁部１２の側面１６に当接する当接部４６と、前記天板１の上面１１方向へ押圧された際に、当該天板１の上面１１と接触する接触部４７とを有している。
【００４３】
当接部４６は、天板１の側方位置に前記滑り止め部材４の幅方向に沿って全域に設けられ、当該デスクマットＤを前記天板１に取り付けた状態で、前記天板１の使用者側縁部１２の側面１６に当接するものである。また、当該当接部４６は、摩擦抵抗の高い材質で構成されている。
【００４４】
接触部４７は、天板１の上方位置に前記滑り止め部材４の幅方向に沿って全域に設けられている。具体的には、後述する使用者が手腕の一部を載せ置くことができるリストレスト部４２の下面４９に設けられ、前記リストレスト部４２に使用者の手腕の一部を載せ置いた際に、当該接触部４７が前記天板１の上面１１方向へ押圧されて前記天板１の上面１１と接触する。つまり、図８に示すように、当該デスクマットＤを天板１に取り付けた状態では、天板１の上面１１と滑り止め部材４との間には間隙４８が形成されており、天板１の上面１１と滑り止め部材４とは接触していない。また、前記間隙４８は、滑り止め部材４の一部をシート部材３の上面３２に取り付け、シート部材３の厚み寸法分天板１の上面１１から滑り止め部材４を離間させることにより形成されている。そして、当該デスクマットＤの使用状態において、リストレスト部４２に手腕の一部が置かれると、図９に示すように、滑り止め部材４が天板１に近接して前記間隙４８が無くなり、接触部４７が天板１の上面１１に対して接触することとなる。また、この接触部４７は、摩擦抵抗の高い材質で構成されている。
【００４５】
更に、第２の実施形態における滑り止め部材４は、第１の実施形態と同様に、全体をクッション部材にて構成されており使用者と接触する身体接触面である上面４１及び使用者側縁部４３に使用者が触れた際の接触感を良好なものとしている。
【００４６】
また、この身体接触面の一部である上面４１には、使用者が手腕の一部を載せ置くことができるリストレスト部４２を設けており、このリストレスト部４２の下面４９に前記シート部材３の使用者側縁部３１を取り付けることで使用者が手腕を置いた状態で当該デスクマットＤが動かないように固定できるようにしている。更に、このリストレスト部４２は、滑り止め部材４の上面４１全域に亘って設けられている。
【００４７】
この滑り止め部材４の形状は、図７に示すように、前記天板１の上面１１側に位置する上面部４ａと前記天板１の側面１６側に位置する側面部４ｃとから形成されるものであり、側断面略逆Ｌ字形状を成している。そして、前記天板１の使用者側縁部１２に取り付けた状態で、この滑り止め部材４の下面４４が天板１の下面１３と略同一に位置するように設定されている。また、この滑り止め部材４は、その平面視形状を前記天板１の使用者側縁部１２に合わせた部分円弧形状とすると共に、天板１への着脱方向に対する弾力性を有することにより前記天板１に隙間なく取り付けられるようにしているものである。加えて、前記シート部材３の使用者側端部３１に沿った平面視形状を成すと共に、当該シート部材３の使用者側端部３１と略同寸の幅寸法を有している。
【００４８】
また、デスクマットＤを移動させる際には、図７の想像線にて示すように滑り止め部材４を外し、天板１の使用者側縁部１２に沿ってスライドさせる。
【００４９】
以上説明したように、シート部材３の使用者側縁部３１に、当該デスクマットＤのずれを防止する滑り止め部材４を設けることにより、デスクマットＤの使用中にずれが生じやすい方向に対して滑り止め機能を有効に発揮すると共に、デスクマットＤを移動させたい場合には、容易に移動させることができるという双方の利点を兼ね備えることができる。つまり、前記当接部４６が天板１の使用者側縁部１２の側面１６に当たり、反使用者側へのずれを防止すると共に、当接部４６の摩擦抵抗により天板１の幅方向へのずれも効果的に防止することが可能となる。また、必要に応じて前記滑り止め部材４を外して使用者が簡単にデスクマットＤを天板１上でスライドさせデスクマットＤに載せた作業中の資料などを容易に移動させることができる。
【００５０】
更に、前記滑り止め部材４に、前記天板１の上面１１方向へ押圧された際に、当該天板１の上面１１と接触する接触部４７を設けているため、デスクマットＤを使用する際には、接触状態を保ち、デスクマットＤのずれを効果的に防止できると共に、デスクマットＤを移動させる際には非接触状態とすることで当該接触部４７が邪魔になることなく容易に移動させることができる。
【００５１】
加えて、前記接触部４７を摩擦抵抗の高い材質で構成しているため、更にデスクマットＤのずれを効果的に防止できる。
【００５２】
加えて、前記リストレスト部４２に使用者の手腕の一部を載せ置いた際に、前記天板１の上面１１と接触する接触部４７を設けているため、使用者が単にリストレスト部４２を利用するだけで何ら手を煩わされること無くデスクマットＤのずれを防止することができる。
【００５３】
尚、本発明における構成は、以上説明したものに限定されないのは勿論である。例えば、第２の実施形態においては、当接部４６を摩擦抵抗の高い材質にて構成しているが、天板１の上面１１に敷設されるシート部材３を有するデスクマットＤにおいて、前記シート部材３の使用者側縁部３１に前記天板１の使用者側縁部１２の側面１６に当接する当接部４６と、前記天板１の上面１１方向へ押圧された際に、当該天板１の上面１１と接触する接触部４７とを有する滑り止め部材４を設けている構成としても良い。尚、当接部４６を摩擦抵抗の高い材質にて構成している点以外は、前記第２の実施形態と同様の構成を有しているので説明を省略する。
【００５４】
以上の構成のように、シート部材３の使用者側縁部３１に、当該デスクマットＤのずれを防止する滑り止め部材４を設けることにより、必要に応じて容易にデスクマットＤを移動させることができるというメリットを維持したまま、デスクマットＤのずれが生じやすい方向にして滑り止め機能を有効に発揮する。つまり、前記当接部４６が天板１の使用者側縁部１２の側面１６に当たり、反使用者側へのずれを防止すると共に、例えば、手腕等の加重により接触部４７を天板１に接触させることにより摩擦によって天板１の幅方向へのずれも簡易に防止することが可能となる。また、デスクマットＤを移動したいときには、前記接触部４７を押圧しないようにすると簡単に移動させることができる。更に、前記当接部４６をガイド部として機能させ、天板１の幅方向に対するスライドを案内させることもできる。
【００５５】
更に、第１の実施形態においては、滑り止め部材４は、上面部４ａ及び下面部４ｂにより天板１の使用者側端部１２を包持する形状を成しているが、図１０に示すように、前記天板１の上面１１側に位置する上面部４ａと、前記天板１の下面１３側に位置する下面部４ｂと、前記天板１の側面１６側に位置する側面部４ｃとにより、天板１の上面１１、下面１３、側面１６を包持する滑り止め部材４としても良い。その際には、側面部４ｃが前記当接部４６を形成する。更に、第２の実施形態と同様に、第１の実施形態に接触部４７を設けることも考えられる。また、図１１に示すように、当該デスクマットＤを取り付けた状態で天板１の使用側縁部１２の側面１６とは当接しない状態で包持する滑り止め部材４とすることも考えられる。更に、上記実施形態における当接部４６は、デスクマットＤを天板１に取り付けた状態で当接しているが、取り付けた際には僅かに離間し、デスクマットＤが反使用者側に対する力が加わった際に当接してずれを防止するものであっても良い。また、上記実施形態においては、前記滑り止め部材４の下面４４が天板１の下面１３と略同一に位置するように設定されているが、天板１の下面１３より上方に位置するように設定しても良い。
【００５６】
加えて、上記実施形態においては、前記滑り止め部材４を前記シート部材３に固定しているが、着脱可能に構成しても良いし、逆に両者を一体に成形することも考えられる。また、上記実施形態においては、滑り止め部材４を部分円弧状としているが、勿論その他の形状を用いても良い。また、本実施の形態においては、滑り止め部材４全体をクッション部材にて構成しているが、身体接触面のみクッション性を付与することも考えられる。その他の構成も本発明の趣旨を逸脱しない範囲で種々変形が可能である。
【００５７】
【発明の効果】
本発明は、以上説明したようにシート部材の縁部に、当該デスクマットのずれを防止する滑り止め部材を設けることで、必要な場合には前記滑り止め部材を外して使用者が簡単にデスクマットを天板上でスライドさせデスクマット上の載せた作業中の資料などを容易に移動させることができ、複数の作業を同時に行いやすくして作業効率を向上させることができる。更に、デスクマットの上で作業する際には、前記滑り止め部材によりずれが防止され快適に作業を行うことができる。また、滑り止め機能を持たせるために何ら天板側に加工を必要とすることなく簡単な構造で天板に対してずれないデスクマットを提供することができる。
【図面の簡単な説明】
【図１】第１の実施形態におけるデスクマットを机に取り付けた状態を示す斜視図。
【図２】第１の実施形態におけるデスクマットを机に取り付ける工程を示す斜視図。
【図３】第１の実施形態におけるデスクマットの平面図。
【図４】第１の実施形態におけるデスクマットの拡大正面図。
【図５】第１の実施形態におけるＡ−Ａ線拡大断面図。
【図６】第１の実施形態におけるデスクマットを机に取り付けた状態を示す平面図。
【図７】第２の実施形態における拡大断面図。
【図８】第２の実施形態における拡大断面図。
【図９】第２の実施形態における拡大断面図。
【図１０】他の実施形態における拡大断面図。
【図１１】他の実施形態における拡大断面図。
【符号の説明】
Ｄ・・・デスクマット
１・・・天板
３・・・シート部材
４・・・滑り止め部材
１１・・・上面
１２・・・使用者側縁部
１３・・・下面
１６・・・側面
３１・・・縁部（使用者側縁部）
１３・・・接触面（下面）
４２・・・リストレスト部
４１・・・身体接触面（上面）
４３・・・身体接触面（使用者側縁部）
４４・・・下面
４６・・・当接部
４７・・・接触部
【図１】
2004358132.tif 000003
【図２】
2004358132.tif 000004
【図３】
2004358132.tif 000005
【図４】
2004358132.tif 000006
【図５】
2004358132.tif 000007
【図６】
2004358132.tif 000008
【図７】
2004358132.tif 000009
【図８】
2004358132.tif 000010
【図９】
2004358132.tif 000011
【図１０】
2004358132.tif 000012
【図１１】
2004358132.tif 000013